(57)【要約】【課題】観察者の画像操作の煩わしさを軽減して診断効率を向上させる。【解決手段】放射線画像データＧから、この放射線画像データＧに付帯する撮影枚数ＦＩ１、患者情報ＦＩ２、撮影方向ＦＩ３、撮影時間ＦＩ４を取得する。取得した全ての付帯情報ＦＩ１〜ＦＩ４に基づいて、放射線画像データＧが２次元画像データＧ２であるか、３次元画像データＧ３であるかを判別する。放射線画像データＧが３次元画像データＧ３である場合、胸壁を水平にして３次元表示させ、放射線画像データＧが２次元画像データＧ２である場合、胸壁を垂直にして２次元表示する。【選択図】図７
2012070827.tif 000002
【特許請求の範囲】
【請求項１】
乳房の放射線画像データを用いて前記乳房の放射線画像を２次元表示または３次元表示する表示部と、
前記放射線画像データから、該放射線画像データに付帯する撮影枚数、患者情報、撮影方向、撮影時間を取得する付帯情報取得手段と、
前記取得した全ての付帯情報に基づいて、前記放射線画像データが２次元画像データであるか、３次元画像データであるかを判別する判別手段と、
前記放射線画像データが３次元画像データである場合、胸壁を水平にして前記乳房の放射線画像を３次元表示させ、前記放射線画像データが２次元画像データである場合、前記胸壁を垂直にして前記乳房の放射線画像を２次元表示させるよう、前記表示部を制御する表示制御手段とを備えていることを特徴とする乳房画像表示装置。
【請求項２】
前記判別手段が、前記放射線画像データが同一の患者を共通の撮影方向で所定時間内に２枚撮影したことによって作成されたものである場合に、前記放射線画像データが３次元画像データであると判別することを特徴とする請求項１記載の乳房画像表示装置。
【請求項３】
乳房の放射線画像データに基づいて前記乳房の放射線画像を２次元表示または３次元表示する乳房画像の表示方法であって、
前記放射線画像データから、該放射線画像データに付帯する撮影枚数、患者情報、撮影方向、撮影時間を取得し、
前記取得した全ての付帯情報に基づいて、前記放射線画像データが２次元画像データであるか、３次元画像データであるかを判別し、
前記放射線画像情報が３次元画像データである場合、胸壁を水平にして３次元表示させ、前記放射線画像データが２次元画像データである場合、前記胸壁を垂直にして２次元表示することを特徴とする乳房画像の表示方法。
【発明の詳細な説明】
【技術分野】
【０００１】
本発明は乳房の放射線画像の表示装置および表示方法に関する。より詳しくは、乳房の放射線画像を２次元表示または３次元表示する表示装置および方法に関する。
【背景技術】
【０００２】
従来、２つの画像を組み合わせて表示することにより、視差を利用して立体視できることが知られている。このような立体視できる画像（以下、３次元画像という）は、同一の被写体を異なる２つの方向から撮影して取得された互いに視差のある２つの画像に基づいて生成される。
【０００３】
そして、３次元画像の生成は、乳房における放射線画像撮影分野においても利用されている。このような乳房画像撮影装置の多くは、放射線源が放射線検出器に対して所定の撮影角度を有して撮影を行うとともに、この放射線源を、被写体の胸壁に対して略垂直な回転軸で回転させることにより、互いに異なる２つの撮影角度での撮影を行うことで３次元画像を生成することが知られている。
【０００４】
一般的に、一つの撮影角度で撮影された画像（以下、２次元画像という）を１枚表示して診断を行う際、被写体の胸壁が略垂直となるように乳房の放射線画像を表示する（以下、２次元表示という）のに対し、３次元画像を表示して診断を行う際には、観察者の立体視を可能にするため、被写体の胸壁が略水平となるように乳房の放射線画像を表示する（以下、３次元表示という）ことが提案されている（特許文献１参照）。
【０００５】
また、３次元画像および２次元画像である放射線画像が混在する場合、これらの放射線画像を表示時に、放射線画像の照射野領域に基づいて、当該放射線画像が２次元画像であるか、３次元画像であるかを判別する技術も提案されている（特許文献２参照）。
【先行技術文献】
【特許文献】
【０００６】
【特許文献１】特開２００７−２２９２０１号公報
【特許文献２】特開２００８−２２０４８１号公報
【発明の概要】
【発明が解決しようとする課題】
【０００７】
しかしながら、表示時に放射線画像が２次元画像であるか、３次元画像であるかの判別を待って、観察者が放射線画像を２次元表示するか、３次元表示するかの画面操作を行うことは煩わしく、診断効率が低下する虞がある。
【０００８】
本発明の目的は、上記事情に鑑み、観察者の画像操作の煩わしさを軽減して診断効率を向上できる乳房画像表示装置および表示方法を提供する。
【課題を解決するための手段】
【０００９】
上記課題を解決するために、本発明による乳房画像表示装置は、乳房の放射線画像データを用いて乳房の放射線画像を２次元表示または３次元表示する表示部と、放射線画像データから、この放射線画像データに付帯する撮影枚数、患者情報、撮影方向、撮影時間を取得する付帯情報取得手段と、取得した全ての付帯情報に基づいて、放射線画像データが２次元画像データであるか、３次元画像データであるかを判別する判別手段と、放射線画像データが３次元画像データである場合、胸壁を水平にして乳房の放射線画像を３次元表示させ、放射線画像データが２次元画像データである場合、胸壁を垂直にして乳房の放射線画像を２次元表示させるよう、表示部を制御する表示制御手段とを備えていることを特徴とする。
【００１０】
ここで、「撮影方向」とは、乳房が撮影された方向を意味するものであり、たとえば、ＣＣ（頭尾方向）や、ＭＬＯ（内外斜位方向）等で撮影されたものであることを意味する。
【００１１】
また、本発明の乳房画像表示装置における判別手段は、放射線画像データが同一の患者を共通の撮影方向で所定時間内に２枚撮影したことによって作成されたものである場合に、放射線画像データが３次元画像データであると判別するものであってもよい。ここで、「所定時間内」とは、ユーザが設定可能な時間であり、たとえば、２０秒程度を意味する。
【００１２】
また、本発明の乳房画像表示方法は、乳房の放射線画像データに基づいて乳房の放射線画像を２次元表示または３次元表示する乳房画像の表示方法であって、放射線画像データから、この放射線画像データに付帯する撮影枚数、患者情報、撮影方向、撮影時間を取得し、取得した全ての付帯情報に基づいて、放射線画像データが２次元画像データであるか、３次元画像データであるかを判別し、放射線画像情報が３次元画像データである場合、胸壁を水平にして３次元表示させ、放射線画像データが２次元画像データである場合、胸壁を垂直にして２次元表示することを特徴とする。
【発明の効果】
【００１３】
本発明の乳房画像表示装置および表示方法によれば、放射線画像データから、この放射線画像データに付帯する撮影枚数、患者情報、撮影方向、撮影時間を取得し、取得した全ての付帯情報に基づいて、放射線画像データが２次元画像データであるか、３次元画像データであるかを判別し、放射線画像情報が３次元画像データである場合、胸壁を水平にして３次元表示させ、放射線画像データが２次元画像データである場合、胸壁を垂直にして２次元表示するため、表示前に放射線画像が２次元画像であるか、３次元画像であるかを判別し、この判別結果に応じて３次元表示または２次元表示を行うため、観察者が画像操作を行う必要がなく、診断効率を向上できる。
【図面の簡単な説明】
【００１４】
【図１】医用配信システムの構成を示すブロック図
【図２】放射線画像撮影装置の概略構成図
【図３】放射線画像撮影装置の一部正面図
【図４】コンピュータの構成図
【図５】放射線画像表示装置のクライアント側コンピュータの内部構成図
【図６】放射線画像表示装置のモニタの表示を示す図
【図７】本実施形態において行われる処理を示すフローチャート
【発明を実施するための形態】
【００１５】
以下、図面を参照して本発明の実施形態について説明する。図１は本発明の実施形態による放射線画像表示装置を用いた医用画像配信システムの構成を示す概略ブロック図である。図１に示すように、本実施形態による医用画像配信システム１は、乳房の放射線画像Ｇを撮影する複数の放射線画像撮影装置２、画像サーバ３、ネットワーク４および複数の放射線画像表示装置５を備える。
【００１６】
そして、各放射線画像撮影装置２において取得した乳房の放射線画像Ｇの放射線画像データを画像サーバ３の記録媒体３０に保存し、サーバ側コンピュータ３１が各放射線画像表示装置５からの画像配信要求に応じて、記録媒体３０に保存された放射線画像データをネットワーク４を介して、要求を行った放射線画像表示装置５に配信し、放射線画像表示装置５のクライアント側コンピュータ５Ａが、モニタ５Ｂに乳房の放射線画像Ｇを表示させるよう構成されている。
【００１７】
放射線画像撮影装置２について説明する。図２は放射線画像撮影装置２の概略構成図、図３は放射線画像撮影装置２の正面図の一部を示す。放射線画像撮影装置２は、図２に示すように、放射線画像撮影部２０と、放射線画像撮影部２０に接続されたコンピュータ６と、コンピュータ６に接続された入力部７とを備えている。また、放射線画像撮影装置２は乳房Ｍを２次元撮影および３次元撮影のいずれをも行えるものである。
【００１８】
放射線画像撮影部２０は、図２に示すように、基台２１と、基台２１に対し上下方向（Ｚ方向）に移動可能であり、かつ回転可能な回転軸２２と、回転軸２２により基台２１と連結されたアーム部２３を備えている。ここで、図２から明らかなように回転軸２２は被写体の胸壁に対して略垂直となるように配置されている。
【００１９】
アーム部２３はアルファベットのＣの形をしており、その一端には撮影台２４が、その他端には撮影台２４と対向するように放射線照射部２６が取り付けられている。アーム部２３の回転および上下方向の移動は、基台２１に組み込まれたアームコントローラ３１により制御される。
【００２０】
撮影台２４の内部には、フラットパネルディテクタ等の放射線検出器２５と、放射線検出器２５からの電荷信号の読み出しを制御する検出器コントローラ３３が備えられている。また、撮影台２４の内部には、放射線検出器２５から読み出された電荷信号を電圧信号に変換するチャージアンプや、チャージアンプから出力された電圧信号をサンプリングする相関２重サンプリング回路や、電圧信号をデジタル信号に変換するＡＤ変換部などが設けられた回路基板なども設置されている。
【００２１】
また、撮影台２４はアーム部２３に対し回転可能に構成されているが、３次元撮影時には基台２１に対してアーム部２３が回転した時でも、撮影台２４の向きは基台２１に対し固定された向きとすることができる。
【００２２】
放射線検出器２５は、放射線画像Ｇの記録と読出しを繰り返して行うことができるものであり、放射線の照射を直接受けて電荷を発生する、いわゆる直接型の放射線画像検出器を用いてもよいし、放射線を一旦可視光に変換し、その可視光を電荷信号に変換する、いわゆる間接型の放射線画像検出器を用いるようにしてもよい。
【００２３】
また、放射線画像信号の読出方式としては、ＴＦＴ（thin film transistor）スイッチをオン・オフされることによって放射線画像信号が読み出される、いわゆるＴＦＴ読出方式のものや、読取光を照射することによって放射線画像信号が読み出される、いわゆる光読出方式のものを用いることが望ましいが、これに限らずその他のものを用いるようにしてもよい。
【００２４】
放射線照射部２６の中には放射線源２７と、放射線源コントローラ３２が収納されている。放射線源コントローラ３２は、放射線源２７から放射線を照射するタイミングと、放射線源２７における放射線発生条件（管電流（ｍＡ）、照射時間（ｍｓ）、管電流時間積（ｍＡｓ）、管電圧（ｋＶ）等）を制御するものである。
【００２５】
また、アーム部２３の中央部には、撮影台２４の上方に配置されて乳房Ｍを押さえつけて圧迫する圧迫板２８と、その圧迫板２８を支持する支持部３０と、支持部３０を上下方向（Ｚ方向）に移動させる移動機構２９が設けられている。圧迫板２８の位置、圧迫圧は、圧迫板コントローラ３４により制御される。
【００２６】
コンピュータ６は、中央処理装置（ＣＰＵ）および半導体メモリやハードディスクやＳＳＤ等のストレージデバイス等を備えており、これらのハードウェアによって、図４に示すような制御部６ａ、放射線画像記憶部６ｂ、ファイル生成部６ｃおよび通信部６ｄが構成されている。
【００２７】
制御部６ａは、各種のコントローラ３１〜３４に対して所定の制御信号を出力し、放射線画像撮影装置２の全体の制御を行うものである。具体的な制御方法については後で詳述する。
【００２８】
放射線画像記憶部６ｂは、１つの撮影角度からの撮影によって放射線検出器２５によって検出された放射線画像（以下、２次元画像Ｇ２とする）、または２つの異なる撮影角度からの撮影によって放射線検出器２５によって検出された放射線画像（以下、３次元画像Ｇ３）を記録するものである。また、３次元画像Ｇ３は互いに視差を有する右目用画像ＧＲおよび左目用画像ＧＬの組み合わせである。
【００２９】
ファイル生成部６ｃは、２次元画像Ｇ２または３次元画像Ｇ３の画像ファイルＧＦを生成する。ファイル生成部６ｃは、画像ファイルＧＦに２次元画像Ｇ２または３次元画像Ｇ３を格納するとともに、画像ファイルＧＦのヘッダに、格納した放射線画像Ｇの撮影枚数ＦＩ１、患者情報ＦＩ２、撮影方向ＦＩ３、撮影日時ＦＩ４から構成される付帯情報ＦＩを記述する。ここで、撮影方向ＦＩ３は、放射線画像Ｇがいずれの方向で撮影されたものかを示すものであり、この方向とは、たとえば、ＣＣ（頭尾方向）や、ＭＬＯ（内外斜位方向）等のことである。
【００３０】
通信部６ｄは、画像ファイルＧＦをネットワーク４を介して、画像サーバ３に送信するものである。
【００３１】
入力部７は、たとえば、キーボードやマウス等のポインティングデバイスから構成されるものであり、撮影者による拡大率を含む撮影条件等の入力や撮影開始指示の入力等を受け付けるものである。
【００３２】
次に放射線画像撮影装置１の作用について説明する。まず、放射線画像撮影装置２が２次元画像Ｇ２を生成する場合について説明する。撮影台２４の上に乳房Ｍが設置され、圧迫板２８により乳房Ｍが所定の圧力によって圧迫される。
【００３３】
次に、入力部７おいて、撮影者による乳房の２次元撮影の指示が入力され、２次元撮影が開始する。具体的には、制御部６ａが２次元撮影のための撮影角度θを読み出し、読み出した撮影角度θの情報をアームコントローラ３１に出力する。なお、本実施形態においては、２次元撮影時の撮影角度θの情報として、ＣＣ（頭尾方向）の撮影方向である撮影角度θ＝０°がデフォルトで設定されているものとするが、２次元撮影時における撮影角度θの値は特に限定されるものではない。ここで、撮影角度θは、図３に示すように、放射線検出器２５に対して垂直な方向とのなす角度である。
【００３４】
そして、アームコントローラ３１が、制御部６ａから出力された撮影角度θ＝０°の情報を受け付け、図３に示すような、アーム部２３が放射線検出器２５に対して垂直な方向となるように制御信号を出力する。
【００３５】
そして、アームコントローラ３１から出力された制御信号に応じてアーム部２３が放射線検出器２５に対して垂直な状態となった状態において、制御部６ａは、放射線源コントローラ３２および検出器コントローラ３３に対して放射線の照射と２次元画像Ｇ２の読み出しを行うよう制御信号を出力する。
【００３６】
この制御信号に応じて、放射線源２７から放射線が照射され、乳房を撮影角度θが０°である撮影方向（ＣＣ）から撮影した放射線が放射線検出器２５によって検出され、検出器コントローラ３３によって放射線検出器２５から放射線画像信号が読み出される。その放射線画像信号に対して所定の信号処理が施された後、放射線画像記憶部６ｂが２次元画像Ｇ２を記憶する。
【００３７】
ファイル生成部６ｃが、２次元画像Ｇを含む画像ファイルＧＦを生成し、この画像ファイルＧＦのヘッダに、撮影枚数ＦＩ１、患者情報ＦＩ２、撮影方向ＦＩ３、撮影日時ＦＩ４の付帯情報ＦＩを記述する。具体的に、本実施形態においては、２次元画像Ｇ２の画像ファイルＧＦにおける撮影枚数ＦＩ１は１枚、患者情報ＦＩ２には患者の氏名、性別等、撮影方向ＦＩ３は乳房ＭのＣＣ撮影である旨が記述される。生成された画像ファイルＧＦが、通信部６ｄによりネットワーク４を介して画像サーバ３に送信される。
【００３８】
次に放射線画像撮影装置２が３次元画像Ｇ３の生成する場合について説明する。２次元撮影と同様に、撮影台２４の上に乳房Ｍが設置され、圧迫板２８により乳房Ｍが所定の圧力によって圧迫される。
【００３９】
次に、入力部７おいて、撮影者による乳房Ｍの３次元撮影の指示が入力され、３次元撮影が開始する。具体的に、制御部６ａが３次元撮影のための２つの異なる方向をなす２つの撮影角度θの組み合わせを読み出し、読み出した一方の撮影角度θの情報をアームコントローラ３１に出力する。なお、本実施形態においては、３次元撮影時の撮影角度θの情報は撮影角度θ＝０°と撮影角度θ＝４°の組み合わせがデフォルトとして設定されているものとする。なお、３次元撮影時の２つの撮影角度θの値は互いに同じ値でない限り、特に限定されるものではない。本実施形態では、撮影角度θ＝０°で右目用画像ＧＲ、撮影角度θ＝４°で左目用画像ＧＬの撮影されるもと説明するが、特に限定されるものではない。
【００４０】
そして、アームコントローラ３１が、制御部６ａから出力された撮影角度θ＝０°の情報を受け付け、図３に示すような、アーム部２３が撮影台２４に対して垂直となるような制御信号を出力する。
【００４１】
そして、アームコントローラ３１から出力された制御信号に応じてアーム部２３が放射線検出器２５に対して垂直な状態となった状態において、制御部６ａは、放射線源コントローラ３２および検出器コントローラ３３に対して放射線の照射と３次元画像Ｇ３を構成する右目用画像ＧＲの読み出しを行うよう制御信号を出力する。この制御信号に応じて、放射線源２７から放射線が照射され、右目用画像ＧＲが放射線検出器２５によって検出され、検出器コントローラ３３によって放射線画像信号が読み出され、その放射線画像信号に対して所定の信号処理が施された後、放射線画像記憶部６ｂに記憶される。
【００４２】
次にアームコントローラ３１は、図３に示すように、放射線検出器２５に垂直な状態から、放射線源２７を４°回転するよう制御信号を出力する。ここで、図２からも明らかなように、回転軸２２は被写体の胸壁と略垂直な方向であるため、放射線源２７は被写体の胸壁に対して略垂直な回転軸で回転する。
【００４３】
そして、アームコントローラ３１から出力された制御信号に応じてアーム部２３が垂直な状態から４°傾いた状態において、制御部６ａは、放射線源コントローラ３２および検出器コントローラ３３に対して放射線の照射と３次元画像Ｇ３を構成する左目用画像ＧＬの読み出しを行うよう制御信号を出力する。この制御信号に応じて、放射線源２７から放射線が照射され、左目用画像ＧＬが放射線検出器２５によって検出され、検出器コントローラ３３によって放射線画像信号が読み出され、その放射線画像信号に対して所定の信号処理が施された後、放射線画像記憶部６ｂに記憶される。
【００４４】
ファイル生成部６ｃが、３次元画像Ｇを構成する右目用画像ＧＲおよび左目用画像ＧＬを含む画像ファイルＧＦを生成し、この画像ファイルＧＦのヘッダに、撮影枚数ＦＩ１、患者情報ＦＩ２、撮影方向ＦＩ３、撮影日時ＦＩ４の付帯情報ＦＩを記述する。具体的に、本実施形態においては、３次元画像Ｇ３の画像ファイルＧＦにおける撮影枚数ＦＩ１は２枚、患者情報ＦＩ２には患者の氏名、性別等、撮影方向ＦＩ３は乳房ＭのＣＣ撮影である旨が記述される。撮影日時ＦＩ４については、右目用画像ＧＲおよび左目用画像ＧＬが撮影された撮影日時がともに記述される。したがって、撮影日時ＦＩ４は、撮影日が共通で、且つ撮影時間の間隔が数十秒、具体的に２０秒程度の範囲内で２つの撮影日時に関する情報を有することになる。
【００４５】
生成された画像ファイルＧＦが、通信部６ｄによりネットワーク４を介して画像サーバ３に送信される。
【００４６】
再び図１を参照して画像サーバ３について説明する。画像サーバ３は、複数の画像ファイルＧＦを保存するハードディスク等の記録媒体３０と、サーバ側コンピュータ３１とを備える。放射線画像撮影装置２から送信された画像ファイルＧＦは記録媒体３０に記録される。このサーバ側コンピュータ３１は、複数の放射線画像表示装置５のいずれかの放射線画像表示装置５から、ネットワーク４経由で放射線画像Ｇの配信要求があった場合、配信要求があった放射線画像表示装置５にネットワーク４経由で画像ファイルＧＦを送信する。
【００４７】
次に放射線画像表示装置５について説明する。放射線画像表示装置５は、クライアント側コンピュータ５Ａと、放射線画像Ｇを表示するモニタ５Ｂとを備える。クライアント側コンピュータ５Ａには、本実施形態による放射線画像表示として機能させるためのプログラムがインストールされている。
【００４８】
クライアント側コンピュータ５Ａは、中央処理装置（ＣＰＵ）および半導体メモリやハードディスクやＳＳＤ等のストレージデバイス等を備えており、これらのハードウェアによって、図５に示すような制御部４１、情報取得部４２、判別部４３および表示制御部４４を構成している。
【００４９】
制御部４１は、ネットワーク４を介して画像サーバ３と通信するとともに、クライアント側コンピュータ５Ａの全体の制御を行うものである。
【００５０】
情報取得部４２は、画像サーバ３から配信された画像ファイルＧＦから放射線画像Ｇおよび付帯情報ＦＩを取得するものである。
【００５１】
判別部４３は、画像ファイルＧＦに格納された放射線画像Ｇが２次元画像Ｇ２であるか３次元画像Ｇ３であるかを付帯情報ＦＩに基づいて判別するものである。
【００５２】
表示制御部４４は、判別部４３の結果に応じて、放射線画像Ｇを２次元表示または３次元表示するよう、モニタ５Ｂを制御するものである。
【００５３】
モニタ５Ｂは、図６に示すように、放射線画像Ｇを２次元表示および３次元表示のいずれにも表示できるものである。なお、図６の上図は３次元画像Ｇ３の３次元表示、下図は２次元画像Ｇ２の２次元表示を示すものである。
【００５４】
モニタ５Ｂは、３次元表示の際に、図６の上図に示すように、右目用画像ＧＲおよび左目用画像ＧＬを交互に切り替えて表示する。この切り換え周期は、例えば（１／数十秒）程度である。観察者は立体視眼鏡をかけて３次元画像Ｇ３を立体視する。立体視眼鏡は、右目用部分および左目用部分に、互いに独立して開閉する液晶シャッタ等からなるシャッタが組み込まれたものである。
【００５５】
表示制御部４４により、立体視眼鏡は、右目用画像ＧＲが表示されている期間は右目用部分が開で左目用部分が閉、反対に左目用画像ＧＬが表示されている期間は左目用部分が開で右目用部分が閉となるように、右目用画像ＧＲおよび左目用画像ＧＬの切り換えの周期と同期させて開閉制御される。これにより、立体視眼鏡をかけた観察者がモニタ５Ｂを観察すると、右目には右目用画像ＧＲが見え、左目には左目用画像ＧＬが見える状態となるので立体視が可能となる。
【００５６】
３次元画像Ｇ３を３次元表示するための構成は、上記の構成に限定されるものではなく、たとえば、２つの画面を用いて右目用画像ＧＲおよび左目用画像ＧＬをそれぞれ表示させて、これらをハーフミラーや偏光グラス等を用いることで右目用画像ＧＲを観察者の右目に入射させ、左目用画像ＧＬを観察者の左目に入射させることによって３次元画像を表示する構成を採用してもよい。
【００５７】
また、パララックスバリア方式およびレンチキュラー方式のようにして、右目用画像ＧＲおよび左目用画像ＧＬを表示することによって３次元画像Ｇ３を３次元表示する構成としてもよい。
【００５８】
また、モニタ５Ｂは、図６の下図に示すように、２次元画像Ｇ２を２次元表示する際には、被写体の胸壁ＭＷが垂直となるように表示するのに対し、３次元画像Ｇ３を３次元表示する際には、図６の上図に示すように、被写体の胸壁ＭＷが水平となるように表示する。これは、前述の通り、３次元画像Ｇ３が、被写体の胸壁に略垂直となる回転軸２２（図２）で放射線源２７（図２）を回転させることにより撮影されたものであるため、観察者が立体視をするためには、被写体の胸壁ＭＷが水平となるように表示する必要があるからである。なお、モニタ５Ｂには、放射線画像Ｇとともに、読影レポートＲや、ポインタＰ等が表示される。
【００５９】
次いで、本実施形態において行われる処理について説明する。図７は本実施形態において行われる処理を示すフローチャートである。制御部４１が画像サーバ３にネットワーク４を介して放射線画像Ｇの配信要求を行い（ステップＳＴ１）、放射線画像Ｇを含む画像ファイルＧＦをネットワーク４を、介して受信する（ステップＳＴ２）。
【００６０】
情報取得部４２が画像ファイルＧＦから放射線画像Ｇおよび放射線画像Ｇに付帯する付帯情報ＦＩを取得する（ステップＳＴ３）。判別部４３が全ての付帯情報ＦＩに基づいて、放射線画像Ｇが２次元画像Ｇ２であるか、３次元画像Ｇ３であるかを判別する。
【００６１】
具体的に、判別部４３は、画像ファイルに格納された放射線画像Ｇの撮影枚数ＦＩ１が２枚であり、放射線画像Ｇを撮影された患者の患者情報ＦＩ２が共通であり、放射線画像Ｇが２枚含まれる場合、それぞれの撮影方向ＦＩ３が共通であり、放射線画像Ｇが２枚含まれる場合に、それぞれの放射線画像Ｇが撮影された撮影日が共通であり、且つ撮影時間の間隔が所定時間内、たとえば、２０秒以内であるか否かを判別し、これらの全ての条件を満たした場合に、放射線画像Ｇが３次元画像Ｇ３であると判別し、いずれかの条件を満たさない場合には、放射線画像Ｇが２次元画像Ｇ２であると判別する。なお、所定時間についてはユーザが設定可能である。
【００６２】
撮影枚数ＦＩ２が２枚であるか否かで判別することにより、ネットワーク４にトモシンセシス撮影装置が接続されていた場合にも、通常トモシンセシス撮影では３枚以上の撮影が行われるため、放射線画像表示装置５がトモシンセシス撮影での画像ファイルＧＦを画像サーバ３に配信要求した場合であっても、トモシンセシス撮影での放射線画像Ｇを３次元表示することなく２次元表示できる。
【００６３】
表示制御部４４が、判別部４３の判別結果に応じて、放射線画像Ｇが３次元画像Ｇ３である場合は胸壁が水平となるように３次元画像Ｇ３を３次元表示し（ＳＴ５）、放射線画像Ｇが２次元画像Ｇ２である場合は胸壁が垂直となるように２次元画像Ｇ２を２次元表示するように、モニタ５Ｂの表示を制御し（ＳＴ６）、処理を終了する。
【００６４】
上の述べた通り、本発明の実施形態である放射線画像表示装置５によれば、クライアント側コンピュータ５Ａの情報取得部４２が、放射線画像Ｇを表示する前に画像ファイルＧＦから付帯情報ＦＩを取得し、判別部４３が全ての付帯情報ＦＩから放射線画像Ｇが２次元画像Ｇ２であるか、３次元画像Ｇ３であるかを判別し、その後に、表示画像制御部４４が放射線画像Ｇを、２次元画像Ｇ２の場合は胸壁を垂直にして２次元表示、３次元画像Ｇ３の場合は胸壁を水平にして３次元表示するため、観察者は放射線画像Ｇが表示された後、２次元画像Ｇ２であるか、３次元画像Ｇ３であるかの判別を待って、放射線画像Ｇの画像操作をする必要がなくなるため、診断効率を向上できる。
【００６５】
また、本発明の実施形態である放射線画像表示装置５によれば、判別に使用する付帯情報ＦＩが、ＤＩＣＯＭ形式の画像ファイルＧＦにおいて、従来からヘッダに記述されたものであるため、２次元画像Ｇ２であるか、３次元画像Ｇ３であるかを識別する新たな情報をヘッダに記述することなく、判別が可能であるとともに、ＤＩＣＯＭ形式の画像ファイルＧＦを生成する全ての乳房の放射線画像撮影装置２に対して適用できるため、汎用性を高めることができる。
【符号の説明】
【００６６】
ＦＩ１  撮影枚数（付帯情報）
ＦＩ２  患者情報（付帯情報）
ＦＩ３  撮影方向（付帯情報）
ＦＩ４  撮影時間（付帯情報）
Ｇ      放射線画像
ＧＦ    画像ファイル
５Ｂ    モニタ
４２    情報取得部
４３    判別部
４４    表示制御部
【図１】
2012070827.tif 000003
【図２】
2012070827.tif 000004
【図３】
2012070827.tif 000005
【図４】
2012070827.tif 000006
【図５】
2012070827.tif 000007
【図６】
2012070827.tif 000008
【図７】
2012070827.tif 000009